(57)【要約】【課題】本発明は、取外し易く、使用に便利なロック機構及びこれを用いる携帯電子装置を提供することを目的とする。【解決手段】本発明に係るロック機構は、電池ケースを携帯電子装置の本体に係合することに用いられ、且つ前記電池ケースに固定され且つ前記本体に開放可能に係合される少なくとも一つの係止部品と、位置決め筐体と、前記電池ケースと前記位置決め筐体との間にスライド可能に装着される操作部品と、両端がそれぞれ前記位置決め筐体と前記操作部品とに当接されるスプリングと、を備える。前記操作部品を前記スプリングの伸張方向に反してスライドすることにより前記係止部品を変形させて、前記電池ケースを前記本体から離脱させる。【選択図】図２
2011077017.tif 000002
【特許請求の範囲】
【請求項１】
電池ケースを携帯電子装置の本体に係合することに用いられ、且つ前記電池ケースに固定され且つ前記本体に開放可能に係合される少なくとも一つの係止部品と、位置決め筐体と、前記電池ケースと前記位置決め筐体との間にスライド可能に装着される操作部品と、両端がそれぞれ前記位置決め筐体と前記操作部品とに当接されるスプリングと、を備えてなるロック機構であって、
前記操作部品を前記スプリングの伸張方向に反してスライドすることにより前記係止部品を変形させて、前記電池ケースを前記本体から離脱させることを特徴とするロック機構。
【請求項２】
前記操作部品は、当接部及び操作部を含み、前記当接部と前記操作部との間に収容空間が形成され、前記位置決め筐体は長押を含み、前記長押を前記収容空間内に収納することにより、前記操作機構のスライド範囲を限定することを特徴とする請求項１に記載のロック機構。
【請求項３】
前記当接部には、連接ピンが設置され、前記位置決め筐体には、凹所が開設され、前記スプリングの一端は前記凹所内に収納され、前記スプリングの他端は前記連接ピンに被せられることを特徴とする請求項２に記載のロック機構。
【請求項４】
係合部が設けられる本体と、
開口部を有する電池ケースと、
前記電池ケースを前記本体に係合することに用いられ、且つ前記電池ケースに固定され且つ前記本体に開放可能に係合される少なくとも一つの係止部品と、位置決め筐体と、前記電池ケースと前記位置決め筐体との間にスライド可能に装着される操作部品と、両端がそれぞれ前記位置決め筐体と前記操作部品とに当接されるスプリングと、から構成なるロック機構と、を備える携帯電子装置であって、
前記操作部品を前記スプリングの伸張方向に反してスライドすることにより前記係止部品を変形させて、前記電池ケースを前記本体から離脱させることを特徴とする携帯電子装置。
【請求項５】
前記操作部品は当接部及び操作部を含み、前記当接部と前記操作部との間に収容空間が形成され、前記位置決め筐体は長押を含み、前記長押を前記収容空間内に収納することにより、前記操作機構のスライド範囲を限定することを特徴とする請求項４に記載の携帯電子装置。
【請求項６】
前記当接部は当接ブロックを含み、前記当接ブロックは前記係止部品を押し退けて、前記係止部品と前記本体の係合部との係合を解除することを特徴とする請求項５に記載の携帯電子装置。
【請求項７】
前記位置決め筐体の一端には、固定穴を有する二つの連接アームが間隔をあけて凸設されていて、前記電池ケースにはそれぞれ前記二つの固定穴に係止される二つの位置決めブロックが凸設されていることを特徴とする請求項４に記載の携帯電子装置。
【請求項８】
前記係合部には、収容凹部と該収容凹部に連接する凹状切欠部とが開設され、前記収容凹部の底面には、二つの係止アームが間隔をあけて対向して凸設され、各々の係止アームの自由端はフックを有し、前記各々の係止部品には、前記係止アームのフックに組み合せるクリップが設置され、前記位置決め筐体には、前記凹状切欠部に収納される係止ブロックが設置されることを特徴とする請求項４に記載の携帯電子装置。
【発明の詳細な説明】
【技術分野】
【０００１】
本発明は、ロック機構及びこれを用いる携帯電子装置に関するものである。
【背景技術】
【０００２】
現在、広く用いられている携帯電話、携帯情報端末（ＰＤＡ）などの携帯電子装置のほとんどは、リチウム電池を電源とする。前記携帯電子装置に電力を提供するリチウム電池の容量がなくなると、たびたび電池ケースを取り外して電池を交換しなければならない。しかし、従来の電池ケースは、一般的にクリップまたはロックピンなどを介して携帯電子装置の本体に設けられたスロットに係止されているため、取り外し操作に時間と力が掛り、ユーザにとっては不便である。
【発明の概要】
【発明が解決しようとする課題】
【０００３】
以上の問題点に鑑みて、本発明は、取外し易く、使用に便利なロック機構及びこれを用いる携帯電子装置を提供することを目的とする。
【課題を解決するための手段】
【０００４】
前記問題を解決するために、本発明に係るロック機構は、電池ケースを携帯電子装置の本体に係合することに用いられ、且つ前記電池ケースに固定され且つ前記本体に開放可能に係合される少なくとも一つの係止部品と、位置決め筐体と、前記電池ケースと前記位置決め筐体との間にスライド可能に装着される操作部品と、両端がそれぞれ前記位置決め筐体と前記操作部品とに当接されるスプリングと、を備える。前記操作部品を前記スプリングの伸張方向に反してスライドすることにより前記係止部品を変形させて、前記電池ケースを前記本体から離脱させる。
【０００５】
また、本発明に係る携帯電子装置は、係合部が設けられる本体と、開口部を有する電池ケースと、前記電池ケースを前記本体に係合することに用いられるロック機構と、を備える。前記ロック機構は、前記電池ケースに固定され且つ前記本体に開放可能に係合される少なくとも一つの係止部品と、位置決め筐体と、前記電池ケースと前記位置決め筐体との間にスライド可能に装着される操作部品と、両端がそれぞれ前記位置決め筐体と前記操作部品とに当接されるスプリングと、から構成される。前記操作部品を前記スプリングの伸張方向に反してスライドすることにより前記係止部品を変形させて、前記電池ケースを前記本体から離脱させる。
【発明の効果】
【０００６】
本発明に係る携帯電子装置は、電池ケースに装着される操作機構をスライドさせることにより、前記電池ケースを前記携帯電子装置の本体から取り外すことができるため便利である。
【図面の簡単な説明】
【０００７】
【図１】本発明の実施例に係る携帯電子装置の立体分解図である。
【図２】図１に示す携帯電子装置の電池ケース及びロック機構の分解図である。
【図３】図２に示す携帯電子装置の電池ケース及びロック機構の別の視角からの分解図である。
【図４】図２に示す携帯電子装置の電池ケース及びロック機構の別の方向からの分解図である。
【図５】図２に示す携帯電子装置の電池ケースとロック機構との組立図である。
【図６】本発明の実施例に係る携帯電子装置の組立図である。
【図７】図５に示す携帯電子装置のロック機構が解除される際の作動原理を示す図である。
【発明を実施するための形態】
【０００８】
以下、図面に基づいて、本発明の実施形態に係るロック機構及びこれを用いる携帯電子装置に関して詳細に説明する。
【０００９】
図１に示したように、本発明の好ましい実施例に係る携帯電子装置１００は、本体１０と、電池ケース３０と、前記電池ケース３０に設置されたロック機構５０と、を備える。前記電池ケース３０は、前記ロック機構５０を介して前記本体１０に係止される。
【００１０】
前記本体１０の１つの表面には、電池（図示せず）を収納するための略矩形の電池装填部１１が設置されている。前記本体１０の一端の中部には、凸字型を呈する係合部１３が開設されている。前記係合部１３は、収容凹部１３１１及び凹状切欠部１３１３からなる取付凹部１３１と、二つの係止アーム１３３と、を含む。前記凹状切欠部１３１３は、前記収容凹部１３１１に連通し、且つ前記電池装填部１１の近傍に位置する。前記二つの係止アーム１３３は、前記収容凹部１３１１の底面に間隔をあけて対向して突設され、且つ各々の係止アーム１３３の自由端には、フック１３３１が設置されている。前記二つの係止アーム１３３の二つのフック１３３１は、それぞれ相反する方向に沿って延びている。
【００１１】
図２及び図３に示したように、前記電池ケース３０は、主体部３１と、端壁３３と、を含む。前記電池ケース３０には、前記端壁３３及び前記主体部３１の一部を貫通する開口部３５が形成されている。前記主体部３１の前記開口部３５の両側には、それぞれ二つの位置決めピン３１１が設置されている。前記端壁３３の内側の前記開口部３５の両側には、それぞれ位置決めブロック３３１が凸設されている。
【００１２】
前記ロック機構５０は、スプリング５１と、二つの係止部品５３と、操作部品５５と、位置決め筐体５７と、を備える。前記位置決め筐体５７は、前記スプリング５１及び前記二つの係止部品５３を前記電池ケース３０に固定することに用いられる。前記二つの係止部品５３をそれぞれ前記本体１０の二つの係止アーム１３３に係止させることにより、前記電池ケース３０を前記本体１０にロックする。前記操作部品５５は、前記位置決め筐体５７にスライド可能に装着されて、前記係止部品５３を前記係止アーム１３３から逸脱させることができる。前記スプリング５１は前記操作部品５５に弾性回復力を提供する。
【００１３】
前記係止部品５３は、基部５３１と、該基部５３１の片側の端縁に逆「Ｌ」型を呈して凸設されるクリップ５３３と、を含む。前記基部５３１には、二つの位置決め穴５３１１が間隔をあけて開設され、前記二つの位置決め穴５３１１の間のピッチが前記開口部３５の同側に位置する二つの位置決めピン３１１の間のピッチに該当する。
【００１４】
前記操作部品５５は、当接部５５１及び操作部５５３を含む。前記操作部５５３の一端には、前記当接部５５１が重ねて固定されており、前記操作部５５３の他端は略孤形を呈して前記開口部３５内に嵌めることに用いられる。前記当接部５５１には、横断面が略台形である当接ブロック５５１１が設置されている。前記当接ブロック５５１１の前記操作部５５３に向かう片側の幅が大きい。前記当接部５５１と前記操作部５５３の孤形端部との間には、収容空間５５５が形成されている。前記当接部５５１の前記操作部５５３から離れている片側には、前記スプリング５１に収納される連接ピン５５１３が前記当接部５５１に直交するように配置されている。
【００１５】
図４を一緒に参照すると、前記位置決め筐体５７は、対向設置される第一表面５７１及び第二表面５７３を含む。前記第一表面５７１には、前記本体１０の凹状切欠部１３１３に係止される係止ブロック５７１１が凸設されている。前記位置決め筐体５７の中部には、略矩形の貫通穴５７５が開設されている。前記位置決め筐体５７の一端には、間隔距離が前記操作部品５５の操作部５５３の幅に該当する二つの連接アーム５７７が間隔をあけて凸設されている。前記連接アーム５７７には、固定穴５７７１が開設されている。前記二つの連接アーム５７７の間には、長押５７８が設置されている。前記第二表面５７３の前記長押５７８に相対する一端の中部が前記第一表面５７１に向けてくぼんで凹所５７９が形成される。前記凹所５７９は、前記スプリング５１を装着することに用いられる。
【００１６】
前記携帯電子装置１００を組み立てる場合、まず、前記電池ケース３０の位置決めピン３１１を前記係止部品５３の位置決め穴５３１１に係止して、前記係止部品５３と前記電池ケース３０の主体部３１とを結合する。本実施例において、前記二つのクリップ５３３が対向するように、前記二つの係止部品５３と前記電池ケース３０の主体部３１とを熱溶融の方式で固定する。続いて前記スプリング５１の一端を前記凹所５７９に収容する。
【００１７】
次に、前記操作部品５５を前記位置決め筐体５７に取り付ける。具体的には、前記位置決め筐体５７の長押５７８を前記操作部品５５の収容空間５５５に収納させて前記操作部品５５のスライド範囲を限定するとともに、前記スプリング５１の他端を前記操作部品５５の連接ピン５５１３に被せる。続いて前記位置決め筐体５７の第二表面５７３を前記電池ケース３０の主体部３１に面してから、前記操作部品５５を前記電池ケース３０の開口部３５に嵌め込んで、前記二つの係止部品５３を前記位置決め筐体５７の貫通穴５７５を貫いて前記位置決め筐体５７から突出させる。続いて前記電池ケース３０の二つの位置決めブロック３３１をそれぞれ前記位置決め筐体５７の二つの連接アーム５７７の二つの固定穴５７７１に係止させ、超音波溶接の方式で前記位置決め筐体５７と前記電池ケース３０とを確実に固定する。これで、前記ロック機構５０と前記電池ケース３０との組立が終了する。図５に示したように、組み立てた後、前記スプリング５１の両端がそれぞれ前記位置決め筐体５７及び前記操作部品５５に当接して圧縮状態になる。
【００１８】
最後に、前記ロック機構５０の係止部品５３のクリップ５３３を前記本体１０の係止アーム１３３のフック１３３１に係合させてから、前記電池ケース３０を押して、前記係止ブロック５７１１を前記凹状切欠部１３１３に係合させ、前記電池ケース３０を前記本体１０にロックする。このように、前記携帯電子装置１００の組立が終了する（図６を参照）。
【００１９】
図７に示したように、前記電池ケース３０を前記本体１０から取り外す場合、まず、前記操作部品５５をスライドさせ、これを前記主体部３１に相対して移動させる。前記操作部品５５の移動にともない、前記当接ブロック５５１１は対応する係止部品５３を押し退けて、前記スプリング５１がさらに圧縮される。この際、前記二つのクリップ５３３がそれぞれ外側へ撓んで前記係止アーム１３３のフック１３３１から離脱するため、前記電池ケース３０を前記本体１０から取り外すことができる。
【００２０】
また、本発明の携帯電子装置１００において、係止部品５３の数量は二つに限定されなく、必要に応じて増減できる。従って、前記本体１０の係止アーム１３３も調整すべきである。
【００２１】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２２】
１０  本体
１１  電池装填部
１３  係合部
３０  電池ケース
３１  主体部
３３  端壁
３５  開口部
５０  ロック機構
５１  スプリング
５３  係止部品
５５  操作部品
５７  位置決め筐体
１００  携帯電子装置
１３１  取付凹部
１３３  係止アーム
３１１  位置決めピン
３３１  位置決めブロック
５３１  基部
５３３  クリップ
５５１  当接部
５５３  操作部
５５５  収容空間
５７１  第一表面
５７３  第二表面
５７５  貫通穴
５７７  連接アーム
５７８  長押
５７９  凹所
１３１１  収容凹部
１３１３  凹状切欠部
１３３１  フック
５３１１  位置決め穴
５５１１  当接ブロック
５５１３  連接ピン
５７１１  係止ブロック
５７７１  固定穴
【図１】
2011077017.tif 000003
【図２】
2011077017.tif 000004
【図３】
2011077017.tif 000005
【図４】
2011077017.tif 000006
【図５】
2011077017.tif 000007
【図６】
2011077017.tif 000008
【図７】
2011077017.tif 000009